(57)【要約】【課題】ショーケース本体に容易に取り付けることができる表示カード保持具を提供する。【解決手段】前面が開放する商品陳列室３を有する左右横長のショーケース本体１の上壁５の外面に、アルミ製のフレーム７をビス止め固定する。フレーム７とは別に、左右方向に長いプラスチック製のカードレール９を備えている。カードレール９は、フレーム７にこれの上面側から一部が弾性変形して係脱自在に嵌係合する基部１５と、この基部１５の前方に連設されて、ショーケース本体１の上壁５の前面外側において表示カード２１を着脱自在に挟持するカード挟持部１６とを有する。【選択図】図４
2006081659.tif 000002
【特許請求の範囲】
【請求項１】
前面が開放する商品陳列室（３）を有する左右横長のショーケース本体（１）の上壁（５）の外面に、該上壁（５）の前端と平行になるように左右方向にわたって固定される金属製のフレーム（７）と、
フレーム（７）に装着される、左右方向に長いプラスチック製のカードレール（９）とを含み、
カードレール（９）が、フレーム（７）にこれの上面側から一部が弾性変形して嵌係合する基部（１５）と、この基部（１５）の前方に連設されて、ショーケース本体（１）の上壁（５）の前方において表示カード（２１）を着脱自在に挟持するカード挟持部（１６）とを有する表示カード保持具。
【請求項２】
フレーム（７）は、底壁（１０）と、底壁（１０）の左右端から立ち上げ連設した起立壁（１１・１１）と、起立壁（１１・１１）の上端から外側へ水平に張り出し形成した係合片（１２ａ・１２ｂ）とを有する断面逆ハット形に形成されて、底壁（１０）がショーケース本体（１）の上壁（５）にビス止めされており、
カードレール（９）の基部（１５）は、下面の後端に突設されてフレーム（７）の後ろ側の係合片（１２ｂ）に掛け止められる係止部（１７）と、下面の前方寄り部位に片持ち状に突出形成されて、フレーム（７）の前側の係合片（１２ａ）の下面に回り込み係合する弾性変形可能な係合部（１９）とを備えている請求項１記載の表示カード保持具。
【発明の詳細な説明】
【技術分野】
【０００１】
本発明は、オープンショーケースの上壁の前方に表示カードを着脱自在に吊り下げ保持する表示カード保持具に関する。
【背景技術】
【０００２】
例えば、縦型の冷蔵オープンショーケースでは、ショーケース本体の上壁の外側前方に、商品名や価格などを表示する各種の表示カードが交換自在に吊り下げ保持される。その表示カードの保持具は、ケース本体に確りと固定でき、顧客の目に触れるものであるから端正に仕上がっている必要がある。
【０００３】
かかる観点から、当出願人は、平板状の取付基部とカード挟持部とが一連に形成された表示カード保持具をアルミの押し出し成形品でつくり、取付基部をショーケース本体の上壁外面に確りとビス止めし、ショーケース本体の上壁の前方に位置させたカード挟持部に表示カードを吊り下げる形態を採用していた（文献不詳）。
【０００４】
用途的にみたとき、先の実施形態に類する従来技術として特許文献１がある。これでは、ショーケース本体の上壁の前面に設けた化粧パネルに、ばね鋼板からなるカード保持具をビス止めし、化粧パネルにカード保持具の下端を押圧付勢することにより、両者間で表示カードの上端を弾性的に挟持している。
【特許文献１】実開平２−１０５７５７号公報（第１図〜第３図）
【発明の開示】
【発明が解決しようとする課題】
【０００５】
問題は、オープンショーケースが左右横長であるため、表示カード保持具が長尺になり、ショーケース本体に対する表示カード保持具の交換を含む取り付け作業が面倒な点があった。また、表示カード保持具をショーケース本体側にガチッとビス止めすると、温度変化による熱変形を受けて表示カード保持具のカード挟持部分にまで変形が及び見苦しくなる点にある。
【０００６】
そこで本発明の目的は、ショーケース本体に対する取り付け作業が容易に行えるようにする、カード挟持部の交換作業も容易に行える、目に付くカード挟持部にまで熱変形が及ばないようにする、そんな表示カード保持具を得るにある。
【課題を解決するための手段】
【０００７】
本発明の表示カード保持具は、前面が開放する商品陳列室３を有する左右横長のショーケース本体１の上壁５の外面に、該上壁５の前端と平行になるように左右方向にわたって固定される金属製のフレーム７と、フレーム７に装着される、左右方向に長いプラスチック製のカードレール９とを含む。そのカードレール９は、フレーム７にこれの上面側から一部が弾性変形して嵌係合する基部１５と、この基部１５の前方に連設されて、ショーケース本体１の上壁５の前方外側において表示カード２１を着脱自在に挟持するカード挟持部とを有する。ここで表示カード２１とは、宣伝広告用のチラシや価格カードなど、ショーケース本体１内に陳列する商品に関する情報を表示するための媒体を広く意味する。
【０００８】
更に具体的に説明すると、フレーム７は、底壁１０と、底壁１０の左右端から立ち上げ連設した起立壁１１・１１と、起立壁１１・１１の上端から外側へ水平に張り出し形成した係合片１２ａ・１２ｂとを有する断面逆ハット形に形成されて、底壁１０がショーケース本体１の上壁５にビス止めされる。カードレール９の基部１５は、下面の後端に突設されてフレーム７の後ろ側の係合片１２ｂに掛け止められる係止部１７と、下面の前方寄り部位に片持ち状に突出形成されて、フレーム７の前側の係合片１２ａの下面に回り込み係合する弾性変形可能な係合部９とを備えている。
【発明の効果】
【０００９】
本発明の表示カード保持具は、アルミの押し出し成形品などからなる金属製のフレーム７とプラスチック製のカードレール９とに分かれており、ショーケース本体１にフレーム７を固定したのち、フレーム７にカードレール９を装着するようになっている。したがって、フレーム７は、これ単独でショーケース本体１の上壁５に固定すればよい。そのうえで、カードレール９は、これの基部１５を一部弾性変形させながらフレーム７に嵌係合するだけでよい。したがって、フレーム７およびカードレール９が長尺物であっても、これらのショーケース本体１に対する取り付け作業が容易に行える。
【００１０】
カードレール９が欠損して交換が必要な場合には、フレーム７はそのままにして、カードレール９だけをフレーム７から簡単に着脱できるので、カードレール９の交換が容易に行える。
【００１１】
ショーケース本体１に対して、カードレール９はフレーム７を介して装着されており、直付けされていない。カードレール９は一部が弾性変形してフレーム７に嵌係合しているので、ショーケース本体１の上壁５にフレーム７を強固に固定しても、フレーム７に生じた熱変形がカードレール９のカード挟持部１６にまで及び難く、目につきやすいカード挟持部１６を長期にわたり端正に維持できる。
【００１２】
請求項２記載の本発明によれば、ショーケース本体１の上壁５にビス止めしたフレーム７に対して、カードレール９は基部１５の下面後端の係止部１７をフレーム７の後ろ側の係合片１２ｂにチョン掛け状態で掛け止め、次にカードレール９の全体を上壁５側に押し下げれば、基部１５の下面前方寄りの係合部１９が弾性変形したのちフレーム７の前側の係合片１２ａの下面に回り込み係合し、これでフレーム７に対してカードレール９の全体が上方への抜け止めを図って掛け止め装着される。したがって、フレーム７に対するカードレール９の装着作業が手軽に行える。また、カードレール９の前側を持ち上げれば、前記係合部１９と係合片１２ａとの係合が外れるので、フレーム７に対するカードレール９の取り外しも手軽に行える。
【００１３】
カードレール９の基部１５は、フレーム７の全体を取り付け用のビス２０も含めて覆い隠すので、外観上の体裁も良いものとなる。
【発明を実施するための最良の形態】
【００１４】
図面は本発明に係る表示カード保持具を縦型の冷蔵オープンショーケースに適用した実施例を示す。図２および図３において冷蔵オープンショーケースは、前面が開放する陳列棚２付きの商品展示室３を有する公知のそれであり、ショーケース本体１の上壁５の前端が前方に迫り出していて、上壁５の前面に化粧パネル６が設けられている。
【００１５】
本発明の表示カード保持具は、アルミニウム合金の押し出し成形品であるフレーム７と、プラスチック製のカードレール９との二部材からなる。
【００１６】
図４においてフレーム７は、平坦な底壁１０と、これの左右端から垂直状に立ち上げ連設した起立壁１１・１１と、これの上端から外側へ水平に張り出し形成した係合片１２ａ・１２ｂとを有する断面逆ハット形に形成されており、底壁１０の前後方向中央部には左右方向に所定のピッチを置いてビス孔１３が透設されている。
【００１７】
フレーム７は、ショーケース本体１の左右長さより若干小さい寸法に定尺切断して得られる。フレーム７のみをアルミニウム合金製とすることにより、全体の製造コストの低減化を図ることができる。
【００１８】
カードレール９は、ＡＢＳ樹脂の成形品であり、フレーム７に嵌係合する基部１５と、これの前方に連設されたカード挟持部１６とを有し、ショーケース本体１の左右長さと同一の長さ寸法に設定されている。後述するように複雑な断面形状のカードレール９は、これをプラスチック製にすることにより、安価に量産できて、温度変化による熱の影響を受け難いものにすることができる。
【００１９】
カードレール９の基部１５には、下面の後端に係止部１７が突設されており、下面の前方寄り部位に係止部１７よりも肉薄で前後方向に弾性変形可能な係合部１９が片持ち状に突出形成されている。係止部１７は、これ自体が弾性変形することまで期待していない。
【００２０】
表示カード保持具は、ショーケース本体１に対して次の要領で取り付ける。先ず、ショーケース本体１の上壁５の外側上面にフレーム７の底壁１０を下向きにして該上壁５の前端と平行になるように左右方向にわたって載置し、底壁１０の各ビス孔１３に上方からビス２０を通してショーケース本体１にフレーム７をビス止め固定する。
【００２１】
次に、カードレール９の前方を持ち上げた傾斜姿勢で、基部１５の係止部１７をフレーム７の後ろ側の係合片１２ｂに上方からチョン掛け状態で掛け止める。これで係止部１７の突出先端部分が係合片１２ｂの下面側に回り込み係合する。
【００２２】
続いて、カードレール９を前方へ引っ張り勝手にした状態でカードレール９の前端側を押し下げることにより、基部１５の係合部１９をフレーム７の前側係合片１２ａに係合させる。このとき、やや後方に向けて傾斜するよう突出形成した肉薄の係合部１９は、いったん前方に弾性変形して係合片１２ａを乗り越えたのち先端の係合突部１９ａが係合片１２ａの下面側に滑らかに回り込み係合する。これにて、フレーム７に対してカードレール９はガタつくことなく、上方への抜け止めを図って位置決め装着できる。この装着状態においてカードレール９の基部１５は、図１に示すようにフレーム７の全体をビス２０を含めて覆い隠す。
【００２３】
ショーケース本体１の上壁５にカードレール９をフレーム７を介して装着した状態において、カード挟持部１６は上壁５の前面の化粧パネル６の前方外側に位置する。このカード挟持部１６に表示カード２１を下方から差し込んで吊り下げることになる。
【００２４】
カード挟持部１６は、基部１５の前端から片持ち状に連出されて前後に対向する挟持壁２２・２３を含む。両挟持壁２２・２３の下端部は、前後の対向面が下すぼまり状に形成されており、該当の下端部に断面が円形の棒部材２５が、下方への抜け止めを図って転動自在に挟み込まれている。
【００２５】
いま、表示カード２１の上端を後ろ側の挟持壁２３と棒部材２５との間に差し込むと、棒部材２５が上方に移動しながら回動して、両者２３・２５間に表示カード２１が挟持される。なお、表示カード２１は、これの下端を取扱者からみて手前側に引っ張れば、表示カード２１の上部が後ろ側の挟持壁２３と棒部材２５との間において斜め下方に向く状態になって、棒部材２５が上方に回動してカード挟持部１６から抜き外すことができる。
【００２６】
ショーケース本体１の上壁１５にビス止め固定したフレーム７が熱変形したとしても、カードレール９の基部１５はフレーム７に弾性的に嵌係合しているので、フレーム７の熱変形を吸収する。
【００２７】
例えば交換などのために、カードレール９のみを取り外す場合には、カード挟持部１６を手にしてカードレール９の前側を上方に持ち上げれば、まず係合部１９が前側係止片５ａから外れるので、引き続いて係止部１７を後ろ側係止片１２ｂから外せばよい。
【００２８】
フレーム７はステンレス製にして、ショーケース本体１の上壁１５に接着固定してもよい。
【図面の簡単な説明】
【００２９】
【図１】要部の縦断側面図
【図２】全体の外観斜視図
【図３】全体の縦断側面図
【図４】本発明の構成部材を分解して示す縦断側面図
【符号の説明】
【００３０】
１  ショーケース本体
５  ショーケース本体の上壁
７  フレーム
９  カードレール
１０  フレームの底壁
１１  フレームの起立壁
１２ａ・１２ｂ  フレームの係合片
１３  ビス孔
１５  カードレールの基部
１６  カードレールのカード挟持部
１７  係止部
１９  係合部
２０  ビス
２１  表示カード
【図１】
2006081659.tif 000003
【図２】
2006081659.tif 000004
【図３】
2006081659.tif 000005
【図４】
2006081659.tif 000006